(57)【要約】  【課題】簡易な構造の扉開閉補助装置により確実に室内外の圧力差による問題を解消し、指の挟まれ事故を無くすとともに、容易に扉を開閉操作できるようにする。  【解決手段】室内外に圧力差を有する空間を仕切るための扉１において、該扉１の開閉を補助するために設置される扉開閉補助装置８Ａであって、前記扉開閉補助装置８Ａは、ピストン式ダンパー９の一方側端部に、外筒１１及びこの外筒１１内に伸縮自在に挿入された軸部材１２からなる伸縮部材１０を同軸的に連設した構造とする。または、この扉開閉補助装置８Ａに扉１の開閉操作をアシストするジャッキ設備２４Ａを追加する。【選択図】図３
2005232841.tif 000002
【特許請求の範囲】
【請求項１】
室内外に圧力差を有する空間を仕切るための扉において、該扉の開閉を補助するために設置される扉開閉補助装置であって、
前記扉開閉補助装置は、ピストン式ダンパーの一方側端部に、外筒及びこの外筒内に伸縮自在に挿入された軸部材からなる伸縮部材を同軸的に連設したことを特徴とする扉の開閉補助装置。
【請求項２】
室内外に圧力差を有する空間を仕切るための扉において、該扉の開閉を補助するために設置される扉開閉補助装置であって、
前記扉開閉補助装置は、ピストン及びシリンダーからなるピストン式ダンパーであり、前記シリンダーの底面側に流入のみ許容するように逆止弁が設けられた作動流体の流入路が形成されるとともに、底面側側部に所定圧で作動流体の流出を許容するように圧力調整弁が設けられた作動流体の流出路が形成され、かつ前記シリンダーの中間部に作動流体の流出のみを許容するように逆止弁が設けられた作動流体の流出路が形成されたことを特徴とする扉の開閉補助装置。
【請求項３】
室内外に圧力差を有する空間を仕切るための扉において、該扉の開閉を補助するために設置される扉開閉補助装置であって、
前記扉開閉補助装置は、ピストン及びシリンダーからなるピストン式ダンパーであり、前記シリンダーの底面側に流入のみ許容するように逆止弁が設けられた作動流体の流入路が形成されるとともに、底面側側部に所定圧で作動流体の流出を許容するように圧力調整弁が設けられた作動流体の流出路が形成され、かつ前記シリンダーの中間点よりもピストンの出没側において内壁面に長手方向に沿って複数の凹状溝が形成されていることを特徴とする扉の開閉補助装置。
【請求項４】
前記扉の開閉操作をアシストするジャッキ設備を追加したことを特徴とする請求項１〜３いずれかに記載の扉の開閉補助装置。
【請求項５】
前記ジャッキ設備は、扉の外面側に設けられた回転ハンドルと、扉の内面側に設けられたパンタグラフジャッキと、前記回転ハンドルの回転を前記パンタグラフジャッキの原動力として伝達するためのフレキシブルシャフトとからなる請求項４記載の扉の開閉補助装置。
【請求項６】
前記ジャッキ設備は、扉の外面側に設けられた回転ハンドルと、扉の内面側に一端側が連結され軸芯回りに回転自在とされるネジ軸と、前記回転ハンドルの回転を前記ネジ軸の回転原動力として伝達するためのフレキシブルシャフトと、前記ネジ軸が螺合されるとともに、ネジ軸の方向に向けて首振り自在とし、かつ所定位置に固定配置されたナット状部材とからなる請求項４記載の扉の開閉補助装置。
【発明の詳細な説明】
【技術分野】
【０００１】
本発明は、室内外に圧力差を有する空間を仕切るための扉において、該扉の開閉を補助するために設置される扉の開閉補助装置に関する。
【背景技術】
【０００２】
従来より空調のフィルター室、冷却器室、加熱器室など室内外の圧力差を有する空間（主に室内側が負圧）を仕切るための扉においては、扉が閉まる直前に室内外の圧力差が生じることにより、前記扉が強い力で急激に閉まり指を挟まれる等の事故を招くことがある。また、扉を開ける際にも、室内外の圧力差により扉に閉方向の力が働いているため、大きな力を必要とするなどの問題があった。
【０００３】
そこで、下記特許文献１には、扉に開口部を設けるとともに、該開口部を開閉自在とする羽根板を設け、扉の開閉時には前記羽根板を開き、室内外の圧力差を緩和することにより扉を容易に開閉できるようにすることが記載されている。また、下記特許文献２に示されるように、開閉駆動用の動力装置を設けて扉の開閉を容易にしたりしている。更には、均圧化を図るために扉の前に前室を設け、扉を開け閉めする際には、前室を室内と等圧化することにより扉の開閉を容易にすることが行われている。
【特許文献１】特開平１０−２６６７２２号公報
【特許文献２】特開平１０−１９７６７７号公報
【発明の開示】
【発明が解決しようとする課題】
【０００４】
しかしながら、前記特許文献１のように、扉に開閉自在の窓を設ける方法の場合には、現実に取扱いを誤り室内外の圧力差を緩和できずに扉が急激に閉まり、指を挟まれる事故が多発している。また、特許文献２のように、扉の開閉駆動装置を設ける方法の場合には、装置自体が大掛かりになる上、常時動力源を必要とし、維持管理にも多大な費用がかかるためコストが嵩み、大きな設備でないと採用しにくい問題がある。
【０００５】
更に、扉の前に前室を設ける方法の場合には、確実に室内外の圧力差を緩和することはできるものの、前室を設置するための空間を必要とするため大きな設備でないと採用しにくいといった問題があった。
【０００６】
そこで、本発明の主たる課題は、簡易な構造の扉開閉補助装置により確実に室内外の圧力差による問題を解消し、指の挟まれ事故を無くすとともに、容易に扉を開閉操作できるようにすることにある。
【課題を解決するための手段】
【０００７】
前記課題を解決するために請求項１に係る本発明として、室内外に圧力差を有する空間を仕切るための扉において、該扉の開閉を補助するために設置される扉開閉補助装置であって、
前記扉開閉補助装置は、ピストン式ダンパーの一方側端部に、外筒及びこの外筒内に伸縮自在に挿入された軸部材からなる伸縮部材を同軸的に連設したことを特徴とする扉の開閉補助装置が提供される。
【０００８】
従来より、扉の開操作を補助するためにピストン式ダンパーが使用されることはあるが、この場合には扉の閉状態から最大開き状態までのすべての区間でダンパー力が作用することになり、扉の閉操作時には逆に大きな力を必要とすることになってしまう。
【０００９】
そこで、上記請求項１記載の本発明においては、扉開閉補助装置として用いるピストン式ダンパーの一方側端部に、外筒及びこの外筒内に伸縮自在に挿入された軸部材からなる伸縮部材を同軸的に連設するようにした。従って、本扉の場合には、ピストン式ダンパーの作用範囲を扉の閉状態から所定角度範囲に限定することができ（以下、この扉開度範囲をダンパー作用区間という。）、それ以降の開度状態では扉の開閉を自由な状態とすることができる（以下、この扉開度範囲を自由区間という。）。従って、扉を開く際には前記ピストン式ダンパーのダンパー力を、扉を開くための補助力として作用させることにより、直後の室内外の圧力差を有する扉であっても容易に開操作できるようになる。
【００１０】
また、扉を閉じる際には、当初は前記伸縮部材が自由に収縮することにより所定の角度状態まではダンパーの抵抗無く扉を自由に閉めることができ、所定の角度状態（前記伸縮部材が最大収縮状態となった状態）以降は、前記ピストン式ダンパーの力が作用するようになるため、室内外の圧力差による力が作用するようになっても扉が徐々に閉まるとともに、扉が完全に閉まる直前においても確実に室内外の圧力差による力に抗して、扉が急激に閉まるのを防止できるため、指の挟まれ事故を無くすことが可能となる。
【００１１】
請求項２に係る本発明として、室内外に圧力差を有する空間を仕切るための扉において、該扉の開閉を補助するために設置される扉開閉補助装置であって、
前記扉開閉補助装置は、ピストン及びシリンダーからなるピストン式ダンパーであり、前記シリンダーの底面側に流入のみ許容するように逆止弁が設けられた作動流体の流入路が形成されるとともに、底面側側部に所定圧で作動流体の流出を許容するように圧力調整弁が設けられた作動流体の流出路が形成され、かつ前記シリンダーの中間部に作動流体の流出のみを許容するように逆止弁が設けられた作動流体の流出路が形成されたことを特徴とする扉の開閉補助装置が提供される。
【００１２】
上記請求項２記載の本発明においては、扉開閉補助装置をピストン及びシリンダーからなるピストン式ダンパーとし、前記シリンダーの底面側に流入のみ許容するように逆止弁が設けられた作動流体の流入路を形成するとともに、前記シリンダの底面側側部に所定圧で作動流体の流出を許容する圧力調整弁を設けた作動流体の流出路を形成し、かつ中間部に作動流体の流出のみを許容する逆止弁を設けた作動流体の流出路（以下、自由流出部ともいう。）を形成した。
【００１３】
従って、ピストン摺動部がシリンダのピストン出没側端部から前記自由流出部が形成された中間部まで移動する範囲ではダンパーとして機能しない自由区間とでき、かつピストン摺動部が前記中間部を越えてシリンダー底部までの移動範囲ではダンパーとして機能するダンパー作用区間とすることができるようになるため、実質的に上記請求項１記載の発明と同様の効果を奏することができる。
【００１４】
請求項３に係る本発明として、室内外に圧力差を有する空間を仕切るための扉において、該扉の開閉を補助するために設置される扉開閉補助装置であって、
前記扉開閉補助装置は、ピストン及びシリンダーからなるピストン式ダンパーであり、前記シリンダーの底面側に流入のみ許容するように逆止弁が設けられた作動流体の流入路が形成されるとともに、底面側側部に所定圧で作動流体の流出を許容するように圧力調整弁が設けられた作動流体の流出路が形成され、かつ前記シリンダーの中間点よりもピストンの出没側において内壁面に長手方向に沿って複数の凹状溝が形成されていることを特徴とする扉の開閉補助装置が提供される。
【００１５】
上記請求項３記載の本発明においては、扉開閉補助装置をピストン及びシリンダーからなるピストン式ダンパーとし、前記シリンダーの底面側に流入のみ許容するように逆止弁が設けられた作動流体の流入路を形成するとともに、前記シリンダの底面側側部に所定圧で作動流体の流出を許容する圧力調整弁を設けた作動流体の流出路を形成し、かつ中間点よりもピストンの出没側において内壁面に長手方向に沿って複数の凹状溝を形成した。
【００１６】
従って、ピストン摺動部が前記シリンダの凹状溝が形成されたピストン出没側端部から中間部までの移動範囲ではダンパーとして機能しない自由区間とでき、かつピストン摺動部が前記中間部を越えてシリンダー底部までの移動範囲ではダンパーとして機能するダンパー作用区間とすることができるようになるため、実質的に上記請求項１記載の発明と同様の効果を奏することができる。
【００１７】
請求項４に係る本発明として、前記扉の開閉操作をアシストするジャッキ設備を追加したことを特徴とする請求項１〜３いずれかに記載の扉の開閉補助装置が提供される。
【００１８】
上記請求項４記載の本発明においては、扉の開閉操作をアシストするジャッキ設備を追加した。請求項１〜３記載のピストン式ダンパーにより室内外の圧力差による問題を解決し得るケースは、概ね圧力差が１０ｋPa以内の範囲とされるが、室内外の圧力差がこれ以上の場合には、更なるアシスト機能を付加することが望ましい。従って、ジャッキ設備を追加することにより、室内外の圧力差が大きい場合であっても、扉の開操作を容易にすることが可能となる。
【００１９】
前記請求項４に係るジャッキ設備の具体的な態様として、
請求項５記載の本発明では、前記ジャッキ設備は、扉の外面側に設けられた回転ハンドルと、扉の内面側に設けられたパンタグラフジャッキと、前記回転ハンドルの回転を前記パンタグラフジャッキの原動力として伝達するためのフレキシブルシャフトとからなる請求項４記載の扉の開閉補助装置が提供される。
【００２０】
同様に請求項６に係る本発明では、前記ジャッキ設備は、扉の外面側に設けられた回転ハンドルと、扉の内面側に一端側が連結され軸芯回りに回転自在とされるネジ軸と、前記回転ハンドルの回転を前記ネジ軸の回転原動力として伝達するためのフレキシブルシャフトと、前記ネジ軸が螺合されるとともに、ネジ軸の方向に向けて首振り自在とし、かつ所定位置に固定配置されたナット状部材とからなる請求項４記載の扉の開閉補助装置が提供される。
【発明の効果】
【００２１】
以上詳説のとおり本発明によれば、簡易な構造の扉開閉補助装置により確実に室内外の圧力差による問題を解消し、指の挟まれ事故を無くすとともに、容易に扉を開閉操作できるようになる。
【発明を実施するための最良の形態】
【００２２】
以下、本発明の実施の形態について図面を参照しながら詳述する。
〔第１形態例〕
図１は第１形態例に係る扉開閉補助装置８Ａが設けられた扉１の正面図、図２は扉１の閉状態を示す横断面図、図３は扉１の開状態を示す横断面図である。
【００２３】
扉１は、空調のフィルター室等、室内外に圧力差を有する空間を仕切るために設置されたものであり、扉枠２の一方側縦枠に上下段で設けられたヒンジ部材３，３により開閉自在に取り付けられ、他端側中間部に設けられた把手５を引くことにより室外側に開閉されるようになっている。前記扉１は、閉状態において扉枠２内に納まるとともに、両側辺部に設けられた密閉用施錠部材６，６…により閉状態での気密性が保たれるようになっている。
【００２４】
前記扉１の内面側上部に扉側固定部７が設けられるとともに、扉枠側に枠側固定部４が設けられ、これら扉側固定部７と枠側固定部４とを連結するように本発明に係る扉開閉補助装置８Ａが設けられている。
【００２５】
前記扉開閉補助装置８Ａは、図２および図３に示されるように、前記扉１の開閉時に、室内外の圧力差によって生じる指の挟まれ事故を無くし、かつ圧力差があっても扉の開閉を容易に行えるようにする目的で設けられた装置であり、具体的には、ピストン式ダンパー（以下、単にダンパーという。）と、このダンパー９の一方側端部、図示例ではシリンダ底部側に同軸的に連設された伸縮部材１０とから主に構成されている。
【００２６】
前記ダンパー９は、ピストン１４及びシリンダー１３からなり、前記シリンダー１３の内部にガス、油等の流体が封入された構造のもので、前記ピストン１４を伸長方向に付勢させるようになっている。なお、付勢力（以下、ダンパー力ともいう。）は封入流体の圧力状態やオリフィス径等の調整によって任意に調整が可能である。
【００２７】
前記伸縮部材１０は、外筒１１と、この外筒１１の一端側より挿入された軸部材１２とからなる伸縮自在の部材であり、前記外筒１１の他端側には凹状の嵌入孔１１ａが形成され、この嵌入孔１１ａに前記ダンパー９のシリンダー１３の底部が挿入されることにより、前記ダンパー９が同軸的に連設されるようになっている。
【００２８】
前記扉開閉補助装置８Ａは、ダンパー９のピストン１４先端が扉側固定部７に対して鉛直軸回りに回転自在に支軸１６によって連結されるとともに、前記伸縮部材１０の軸部材１２の先端側が枠側固定部４に対し鉛直軸回りに回転自在に支軸１５によって連結されて、扉１に取り付けられるようになっている。
【００２９】
図２に示される扉１の閉止状態では、前記扉開閉補助装置８Ａは最大収縮状態、すなわちダンパー９は付勢力に抗して収縮した状態にあり、かつ伸縮部材１０は軸部材１２が完全に挿入された状態となっている。この扉閉状態から扉１を開く際には、扉１の開操作時にダンパー９が作動するため、室内外に圧力差があっても扉１を容易に開操作できる。この際、仮に扉１を開いた直後に力を緩めてしまい、室内外の圧力差によって扉に閉方向の力が作用しても、前記ダンパー９の付勢力によって扉を開き方向に付勢しているため急に閉じられることがなく、指を挟まれることもなくなる。また、扉１は図３に示されるように、ダンパー９が最大長となる扉の開き角度範囲までは図示されるように、ダンパー力が作用するダンパー作用区間となるが、それ以上の開き角度範囲ではダンパー９は伸長状態のまま伸縮部材１０が伸長して扉１の開度に対応するようになっており、ダンパー９のダンパー力が作用しない自由区間となっている。
【００３０】
一方、前記扉１を閉じる際には、図３に示されるように、扉１の最大開き状態を示す(A)状態から伸縮部材１０が最大収縮状態となる同図(B)状態までは、伸縮部材１０において、軸部材１２が外筒１１内にほとんど抵抗なくスムーズに挿入され扉１が閉じられ（図中、自由区間）、続いて同図(B)状態からは伸縮部材１０は前記軸部材１２が外筒１１に完全に挿入された状態となっているため、シリンダー１３にピストン１４が徐々に挿入され、前記ダンパー９が作動するようになり、扉１が完全に閉状態となるまでは徐々に前記扉１が閉じられる（図中、ダンパー作用区間）。従って、扉１が閉まる直前でも扉１が急激に閉まることなく指の挟まれ事故を未然に防止することができる。
【００３１】
なお、図示の例では、ダンパー９はシリンダー１３の後端側に伸縮部材１０を連設したが、ダンパー９の配置を反対としピストン１４側を伸縮部材１０に連結してもよいし、ダンパー９と伸縮部材１０の配置を逆にしても良い。
【００３２】
〔第２形態例〕
図４〜図５に示される第２形態例に係る扉開閉補助装置８Ｂは、ピストン式ダンパーのみによって、上記第１形態例のように、ダンパー力が作用するダンパー作用区間と、ダンパー力が作用しない自由区間とを有する扉開閉機構が得られるようにしたものである。なお、本形態例以降において、第１形態例と基本的に同様の構造の箇所においては図面に同じ番号を付して説明を省略する。
【００３３】
前記扉開閉補助装置８Ｂは、図４に示されるように、ピストン１４と、このピストン１４が突没されるシリンダー１３とからなるピストン式ダンパーであり、ダンパーのピストン１４先端が扉側固定部７に対して鉛直軸回りに回転自在に支軸１６によって連結され、シリンダー１３の後端部が枠側固定部４に鉛直軸回りに回転自在に支軸１５によって連結される。
【００３４】
前記シリンダー１３には、図５に示されるように、底面側に流入のみを許容するように逆止弁２０が設けられた作動流体の流入路１７が形成されるとともに、底面側側部に所定圧で作動流体の流出を許容するように圧力調整弁２２が設けられた作動流体の流出路１８が形成され、かつ前記シリンダー１３の中間部に作動流体の流出のみを許容するように逆止弁２１が設けられた作動流体の流出路１９（自由流出部）が形成されている。
【００３５】
したがって、前記ピストン１４がシリンダー１３内に挿入される際、ピストン摺動部１４ａが前記中間部の流出路１９まで移動する範囲では逆止弁２１を通り作動流体が流出するためダンパー力の作用しない自由区間となり、前記ピストン摺動部１４ａが前記流出路１９を越えると底面側側部の流出路１８に設けられた圧力調整弁２２によって所定圧力を越えた場合に作動流体が流出されるため、ダンパー力が作用するダンパー作用区間となる。従って、上記第１形態例と同様に、ダンパーの作用範囲を扉の閉状態から所定角度範囲に限定することができ、それ以降の開度状態では扉の開閉を自由な状態とすることができる。なお、前記扉開閉補助装置８Ｂにおいては、作動流体のシリンダー１３内への流入は負圧による自然流入とするため、比較的に開け易い扉に適用されるものであるが、作動流体をシリンダー１３内にポンプにより圧入するようにすれば、扉１の開時にも開方向のダンパー力が得られるようになる。
【００３６】
〔第３形態例〕
図６〜図７に示される第３形態例に係る扉開閉補助装置８Ｃも、ピストン式ダンパーのみによって、上記第１形態例のように、ダンパー力が作用するダンパー作用区間と、ダンパー力が作用しない自由区間とを有する扉開閉機構が得られるようにしたものである。なお、本形態例以降においても、第１形態例と基本的に同様の構造の箇所においては図面に同じ番号を付して説明を省略する。
【００３７】
前記扉開閉補助装置８Ｃも第２形態例と同様に、図５に示されるように、ピストン１４と、このピストン１４が突没されるシリンダー１３とからなるピストン式ダンパーであり、ダンパーのピストン１４先端が扉側固定部７に対して鉛直軸回りに回転自在に支軸１６によって連結され、シリンダー１３の後端部が枠側固定部４に鉛直軸回りに回転自在に支軸１５によって連結される。
【００３８】
シリンダー１３には、図６に示されるように、底面側に流入のみを許容するように逆止弁２０が設けられた作動流体の流入路１７が形成されるとともに、底面側側部に所定圧で作動流体の流出を許容するように圧力調整弁２２が設けられた作動流体の流出路１８が形成され、かつ前記シリンダー１３の中間点よりもピストン１４の出没側において内壁面に長手方向に沿って凹状溝２３，２３…が形成されている。
【００３９】
したがって、ピストン１４がシリンダー１３内に挿入される際、ピストン摺動部１４ａが前記凹状溝２３の形成範囲では凹状溝２３により作動流体はピストン摺動部の反対側に回り込むためダンパー力の作用しない自由区間となり、前記ピストン摺動部１４ａが前記凹状溝２３の形成範囲を越えると底面側側部の流出路１８に設けられた圧力調整弁２２によって所定圧力を越えた場合に作動流体が流出されるため、ダンパー力が作用するダンパー作用区間となる。なお、前記扉開閉補助装置８Ｂにおいては、作動流体のシリンダー１３内への流入は負圧による自然流入とするため、比較的に開け易い扉に適用されるものであるが、作動流体をシリンダー１３内にポンプにより圧入するようにすれば、扉１の開時にも開方向のダンパー力が得られるようになる。
【００４０】
〔第４形態例〕
図８〜図１０に示される第４形態例に係る扉開閉補助装置８Ｄは、扉１の開閉操作をアシストするパンタグラフジャッキからなるジャッキ設備２４Ａを追加した装置の例である。
【００４１】
前記ジャッキ設備２４Ａは、図８および図９に示されるように、扉１の外面側に設けられた回転ハンドル２５と、扉１の内面側に設けられたパンタグラフジャッキ２６と、前記回転ハンドル２５の回転を前記パンタグラフジャッキ２６の原動力として伝達するためのフレキシブルシャフト２７とからなる設備である。
【００４２】
前記パンタグラフジャッキ２６は、扉１内面側のジャッキ固定板部２８を台座として室内側方向へ伸縮自在に設けられており、ギアボックス２９に対して前記フレキシブルシャフトが連結されるとともに、前記パンタグラフジャッキ２６の作動軸が連結され、前記フレキシブルシャフト２７の回転がパンタグラフジャッキの原動力として伝達されるようになっている。なお、前記パンタグラフジャッキ２６の先端部にはローラ３０が設けられ、このローラ３０が扉枠２側に設けられたジャッキ反力壁３４に当接するようになっている。
【００４３】
他方、図１０に示されるように、ダンパー９および伸縮部材１０からなる扉開閉補助装置８Ｄは、扉１の上部側と下部側とに夫々設けられている。図示例では、ダンパー９が扉１のヒンジ側に配設され、扉１の戸先側に伸縮部材１０が配設された構造となっている。また、本例では前記伸縮部材１０はピストン１２及びシリンダー１１から構成されている。但し、伸縮を自由とするため前記シリンダー１１内には作動流体は封入されていない構造となっている。
【００４４】
また、前記ダンパー９と伸縮部材１０とは、伸縮部材１０に外嵌固定されたブラケット３１によってダンパー９側に沿ってガイド棒３３を保持し、前記ダンパー９側に前記ガイド棒３３が挿通されるブラケット３２が設けられ、連設構造が補強されている。
【００４５】
前記扉１を閉じる際には、図１０に示されるように、前記ダンパー９および伸縮部材１０が第１形態例に係る扉開閉補助装置８Ａと同様に挙動するとともに、仮想線Ｐの開度まで扉１が閉じられると、図９に示されるように、前記パンタグラフジャッキ２６に設けられたローラ３０が室内側に設けられたジャッキ反力壁３４に当接する。この後は、回転ハンドル２５により扉１が閉じられるまで前記パンタグラフジャッキ２６を収縮操作する。
【００４６】
前記扉１を開く際には、回転ハンドル２５により扉１が仮想線Ｐの開度となるまで前記パンタグラフジャッキ２６を伸長操作したならば、その後はダンパー９のダンパー力を補助力として扉１を所定の開度（ダンパー作用区間）まで開け、それ以降は前記伸縮部材１０の伸長によって対応することでダンパー力が作用しない自由区間となる。
【００４７】
〔第５形態例〕
図１１〜図１３に示される第５形態例に係る扉開閉補助装置８Ｅは、送りネジ機構を応用したジャッキ設備２４Ｂを追加した装置例である。
【００４８】
前記ジャッキ設備２４Ｂは、図１２〜図１３に示されるように、扉１の外面側に設けられた回転ハンドル２５と、扉１の内面側に一端側が連結され軸芯回りに回転自在とされるとともに、基端側から所定長だけネジ区間とし、それ以降は先端までネジ無し区間としたネジ軸３５と、前記回転ハンドル２５の回転を前記ネジ軸３５の回転原動力として伝達するためのフレキシブルシャフト２７と、前記ネジ軸３５が螺合されるとともに、ネジ軸３５の方向に向けて首振り自在とし、かつ所定位置に固定配置されるナット状部材３６とからなる設備である。なお、ネジ軸３５は旋回台３７によって鉛直軸回りに回転自在に支持されるとともに、防護のためにプラスチック製のジャバラ３５ａによって覆われている。また、図示例では前記回転ハンドル２５が室内側にも設けられ、室内側からもジャッキ設備２４Ｂの操作が可能となっている。
【００４９】
上記ジャッキ設備２４Ｂにおいては、前記回転ハンドル２５を回転させると、フレキシブルシャフト２７により回転力が伝達され、ネジ軸３５が回転する。そして、該ネジ軸３５が螺合しているナット状部材３６は固定配置されているため、ネジ軸３５の基端と前記ナット状部材３６との間の距離が徐々に増大されると、この押出し力が扉１の開放力となって扉１に作用するため、扉１を簡単に開くことが可能となる。ネジ区間を過ぎた以降はネット状部材３６との螺合から開放され、扉開閉補助装置８Ｅのダンパー力によって所定の開度までは小さな力で容易に扉１を開操作することができる。
【図面の簡単な説明】
【００５０】
【図１】第１形態例に係る扉開閉補助装置８Ａが設けられた扉１の正面図である。
【図２】扉１の閉状態を示す横断面図である。
【図３】扉１の開状態を示す横断面図である。
【図４】第２形態例に係る扉開閉補助装置８Ｂが設けられた扉１の横断面図である。
【図５】扉開閉補助装置８Ｂに係るシリンダー１３の要部断面図である。
【図６】第３形態例に係る扉開閉補助装置８Ｃにおけるシリンダー１３の要部断面図である。
【図７】図６のVII−VII線矢視図である。
【図８】第４形態例に係る扉開閉補助装置８Ｄが設けられた扉１の正面図である。
【図９】ジャッキ設備２４Ａの作動状態を示す扉横断面図である。
【図１０】扉開閉補助装置８Ｄのダンパー９および伸縮部材１０の作動状態図である。
【図１１】第５形態例に係る扉開閉補助装置８Ｅが設けられた扉１の正面図である。
【図１２】ジャッキ設備２４Ｂの作動状態を示す扉横断面図（図１１のXII-XII線矢視図）である。
【図１３】その縦断面図（図１１のXIII-XIII線矢視図）である。
【符号の説明】
【００５１】
１…扉、２…扉枠、８Ａ〜８Ｅ…扉開閉補助装置、９…ピストン式ダンパー、１０…伸縮部材、１１…外筒、１２…軸部材、１３…シリンダー、１４…ピストン、２３…凹状溝、２４Ａ・２４Ｂ…ジャッキ設備、２５…回転ハンドル、２６…パンタグラフジャッキ、２７…フレキシブルシャフト、３５…ネジ軸、３６…ナット状部材
【図１】
2005232841.tif 000003
【図２】
2005232841.tif 000004
【図３】
2005232841.tif 000005
【図４】
2005232841.tif 000006
【図５】
2005232841.tif 000007
【図６】
2005232841.tif 000008
【図７】
2005232841.tif 000009
【図８】
2005232841.tif 000010
【図９】
2005232841.tif 000011
【図１０】
2005232841.tif 000012
【図１１】
2005232841.tif 000013
【図１２】
2005232841.tif 000014
【図１３】
2005232841.tif 000015